(57)【要約】【課題】本発明は、撮影装置側に信号受信装置や信号検出装置を搭載することなく、簡単な構成で撮影規制被写体のみの撮影を確実に規制することができる撮影装置及び撮影報知装置並びに盗撮防止システムを提供する。【解決手段】デジタルカメラ１０の制御回路部２６は、レリーズボタン２８の半押し操作に基づき信号発生回路部３０を制御して、タリーランプであるＬＥＤ３２から、変調回路３４にて変調された可視光を送信する。ＬＥＤ３２は、撮影レンズ１６の近傍に取り付けられているので、撮影レンズ１６を被写体３６に向けると、ＬＥＤ３２からの可視光が被写体３６に向けて送信される。受光ユニット１２に内蔵されたフォトダイオード４６は、デジタルカメラ１０から送信された可視光を受光する。受光ユニット１２の制御回路部５０によって可視光を受光したことが検出されると、制御回路部５０は、スピーカ回路部５２を制御してスピーカ５４からアラーム音を発生させる。【選択図】      図１
2006301418.tif 000002
【特許請求の範囲】
【請求項１】
指向性を有する光線に所定のデータを変調して送信する光送信手段を備え、特定の受光エリアに対して選択的に撮影に関する前記データ又は撮影装置固有の前記データを送信する制御手段を備えたことを特徴とする撮影装置。
【請求項２】
指向性を有する光線に所定のデータを変調して送信された撮影装置からの光線を受光し、該光線から前記所定のデータを読み出すことにより、被写体が撮影されることを光・振動・音等を発する報知手段によって報知することを特徴とする撮影報知装置。
【請求項３】
指向性を有する光線に所定のデータを変調して送信する光送信手段を備え、撮影動作を行う際に前記光送信手段から前記光線を送信する制御手段を備えた撮影装置と、
前記撮影装置からの前記光線を受光し、該光線から前記所定のデータを読み出すことにより、被写体が撮影されることを光・振動・音等を発する報知手段によって報知する撮影報知装置と、
を備えたことを特徴とする盗撮防止システム。
【請求項４】
前記撮影装置は、レリーズボタンの半押し操作で光線を送信することを特徴とする請求項１に記載の撮影装置。
【請求項５】
前記撮影装置は、レリーズボタンの半押し操作で光線を送信することを特徴とする請求項３に記載の盗撮防止システム。
【請求項６】
指向性を有する光線を撮影エリアから受光するように被写体周辺に配置され、撮影装置から送信された前記光線を受光することにより、撮影可／不可及び／又はストロボ発光可／不可であることを光・音等によって報知する報知手段を備えたことを特徴とする撮影報知装置。
【請求項７】
指向性を有する光線に所定のデータを変調して送信する光送信手段を備え、レリーズ動作が行われると被写体に向けて光送信を行い、所定時間後に撮影動作を行う制御手段を備えたことを特徴とする撮影装置。
【請求項８】
指向性を有する光線を撮影エリアから受光するように被写体周辺に配置され、撮影装置から送信された前記光線を受光することにより、被写体の良好な撮影を妨害する妨害手段を備えたことを特徴とする請求項３に記載の盗撮防止システム。
【請求項９】
指向性を有する光線に所定のデータを変調して送信する光送信手段を有し、光送信手段からの光線は撮影レンズを介して送信されることを特徴とする撮影装置。
【請求項１０】
指向性を有する光線に所定のデータを変調して送信する光送信手段と、撮影動作を行うと前記光線を送信する制御手段とを有する撮影装置において、
前記光送信手段は、赤色領域の波長の光線を発信するタリーランプであることを特徴とする撮影装置。
【請求項１１】
前記撮影装置と前記撮影報知装置は、双方向送受信可能に構成されていることを特徴とする請求項３に記載の盗撮防止システム。
【請求項１２】
記憶部の所定領域に撮影規制解除コードが記録されたメモリ部材が着脱自在に装着され、撮影の際には前記撮影規制解除コードを読み出して送信する撮影装置と、
前記撮影装置から送信された前記撮影規制解除コードを受信すると、前記撮影装置による撮影規制を解除することを報知する撮影報知装置と、
を備えたことを特徴とする盗撮防止システム。
【発明の詳細な説明】
【技術分野】
【０００１】
本発明は撮影装置及び撮影報知装置並びに盗撮防止システムに係り、特に指向性のある光線を撮影装置から送信し、この光線を撮影報知装置が受光することにより撮影装置による盗撮、ストロボ発光等の撮影動作を規制する撮影装置及び撮影報知装置並びに盗撮防止システムに関する。
【背景技術】
【０００２】
観光地や美術館等の展示場における所定の区域の撮影を規制するために、撮影規制を伴う電波により送信される制御信号を送信機によって撮影規制対象物の周辺に送信し、一方でカメラやカメラ機能を有する携帯電話機等の撮影装置には、前記制御信号を受信する受信部を設け、制御信号の受信中には撮影装置による撮影を規制するという撮影規制システムが知られている（特許文献１及び特許文献２）。
【特許文献１】特開平７−１３２２５号公報
【特許文献２】特開２００４−１５３３２４号公報
【発明の開示】
【発明が解決しようとする課題】
【０００３】
しかしながら、特許文献１、２に開示された従来の撮影規制システムは、電波を用いた制御信号を撮影規制被写体近傍のエリアに送信して撮影禁止やストロボ発光禁止等の撮影規制を行うものである。よって、エリア内に撮影装置が入っていれば、その撮影装置が撮影規制被写体と関係の無い方向に向けられていても、その撮影装置は制御信号を受信するため撮影規制を受けるという問題があった。
【０００４】
ところで、特許文献１には、送信機により送信される電波に変えて光を発光させてもよいと記載されているが、送信機に光発光手段を設けると、撮影装置側に光信号受信装置や光信号検出装置を搭載する必要があるので、撮影装置の大型化やコストアップにつながるという問題もあった。
【０００５】
本発明は、このような事情に鑑みてなされたもので、撮影装置側に信号受信装置や信号検出装置を搭載することなく、簡単な構成で撮影規制被写体のみの撮影を確実に規制することができる撮影装置及び撮影報知装置並びに盗撮防止システムを提供することを目的としている。
【課題を解決するための手段】
【０００６】
請求項１に記載の撮影装置の発明によれば、前記目的を達成するために、指向性を有する光線に所定のデータを変調して送信する光送信手段を備え、特定の受光エリアに対して選択的に撮影に関する前記データ又は撮影装置固有の前記データを送信する制御手段を備えたことを特徴とする。
【０００７】
請求項１に記載の撮影装置の発明によれば、指向性を有する光線に所定のデータを変調して送信する光送信手段を有し、制御手段は撮影動作を行う際、すなわち撮影動作の所定時間前又は直前に光送信手段から光線を特定の受光エリアに対して送信する。光線は指向性があるため、受光エリア内の撮影規制被写体に撮影装置を向けたときのみ撮影を行うことを報知する所定のデータを含む報知信号が撮影装置から撮影規制被写体側に送信される。前記報知信号を受信することにより撮影を規制する規制手段を撮影規制被写体側に設けておけば、撮影規制被写体の撮影を確実に規制することができる。また、撮影装置固有のデータを撮影規制被写体側に送信することにより、その撮影装置による撮影を許可したり禁止したりすることができる。したがって、本発明の撮影装置によれば、撮影装置側に信号受信装置や信号検出装置を搭載することなく、光送信手段だけの簡単な構成で撮影規制被写体の撮影を確実に規制することができる。
【０００８】
なお、光線として可視光を利用することができる。可視光とは、電磁波のうち人間の目で見える波長のものをいい、ＪＩＳ  Ｚ８１２０の定義によれば、可視光に相当する電磁波の波長は、おおよそ短波長側が３６０ｎｍ〜４００ｎｍ、長波長側が７６０ｎｍ〜８３０ｎｍである。
【０００９】
請求項２に記載の撮影報知装置の発明は、前記目的を達成するために、指向性を有する光線に所定のデータを変調して送信された撮影装置からの光線を受光し、該光線から前記所定のデータを読み出すことにより、被写体が撮影されることを光・振動・音等を発する報知手段によって報知することを特徴とする。
【００１０】
請求項２に記載の撮影報知装置によれば、撮影装置から送信された光線を受光し、光線から所定のデータを読み出すことにより、被写体が撮影されることを光・振動・音等を発する報知手段によって報知する。これにより、撮影者及びその近傍にいる第三者にその被写体を撮影することを報知することができる。また、その被写体が撮影規制被写体の場合には、撮影者は光・振動・音等により事前に認識することができるので、撮影及び／又はストロボ発光撮影を取り止めることができる。
【００１１】
請求項３に記載の盗撮防止システムの発明によれば、前記目的を達成するために、指向性を有する光線に所定のデータを変調して送信する光送信手段を備え、撮影動作を行う際に前記光送信手段から前記光線を送信する制御手段を備えた撮影装置と、前記撮影装置からの前記光線を受光し、該光線から前記所定のデータを読み出すことにより、被写体が撮影されることを光・振動・音等を発する報知手段によって報知する撮影報知装置と、を備えたことを特徴とする。
【００１２】
請求項３に記載の盗撮防止システムは、撮影装置を被写体に向けて撮影する際に、制御手段は撮影動作の所定時間前又は直前に光送信手段から光線を送信する。光線は指向性があるため、撮影禁止被写体の近傍に設置された撮影報知装置に送信される。撮影報知装置が光線を受光すると、光線から所定のデータを読み出し、撮影禁止被写体が撮影されることを光・振動・音等を発する報知手段によって報知する。これにより、撮影禁止被写体の盗撮を防止することができる。
【００１３】
請求項４に記載の撮影装置の発明によれば、請求項１において、前記撮影装置は、レリーズボタンの半押し操作で光線を送信することを特徴とする。
【００１４】
請求項４に記載の撮影装置は、レリーズボタンの半押し操作により、制御手段が光線を送信する。これにより、撮影者は、特別な送信操作を行うことなく、一連の撮影動作によって光線を撮影装置から送信することができる。
【００１５】
請求項５に記載の盗撮防止システムの発明によれば、請求項３において、前記撮影装置は、レリーズボタンの半押し操作で光線を送信することを特徴とする。
【００１６】
請求項５に記載の盗撮防止システムは、レリーズボタンの半押し操作により、制御手段が光線を送信し、撮影報知装置が受光する。これにより、撮影者は、特別な送信操作を行うことなく、一連の撮影動作によって光線を撮影装置から送信することができる。
【００１７】
請求項６に記載の撮影報知装置の発明によれば、前記目的を達成するために、指向性を有する光線を撮影エリアから受光するように被写体周辺に配置され、撮影装置から送信された前記光線を受光することにより、撮影可／不可及び／又はストロボ発光可／不可であることを光・音等によって報知する報知手段を備えたことを特徴とする。
【００１８】
請求項６に記載の撮影報知装置は、撮影装置から送信された指向性のある光線を受光すると、光線から所定のデータを読み出し、報知手段がその被写体が撮影可／不可及び／又はストロボ発光可／不可であることを光・振動・音等によって報知する。これにより、撮影者及び第三者は、その被写体が撮影規制被写体であることを認識することができる。
【００１９】
請求項７に記載の撮影装置の発明によれば、前記目的を達成するために、指向性を有する光線に所定のデータを変調して送信する光送信手段を有し、レリーズ動作が行われると被写体に向けて光送信を行い、所定時間後に撮影動作を行う制御手段を備えたことを特徴とする。
【００２０】
請求項７に記載の撮影装置は、レリーズ動作が行われると、まず、被写体に向けて光送信を行って撮影することを報知し、所定時間後に撮影動作を行う。レリーズから撮影までのタイムラグを示す信号を撮影妨害手段に送信することにより、撮影妨害手段はそのタイムラグに対応させて撮影を妨害する動作を行う。
【００２１】
請求項８に記載の盗撮防止システムの発明によれば、請求項３において、指向性を有する光線を撮影エリアから受光するように被写体周辺に配置され、撮影装置から送信された前記光線を受光することにより、被写体の良好な撮影を妨害する妨害手段を備えたことを特徴とする。
【００２２】
請求項８に記載の盗撮防止システムは、撮影装置から送信された光線を受光すると、受光してから撮影までのタイムラグを考慮した妨害手段によって被写体の良好な撮影を妨害する。これにより、肖像権の侵害や違法な盗撮を確実に防止できる。
【００２３】
請求項９に記載の撮影装置の発明によれば、前記目的を達成するために、指向性を有する光線に所定のデータを変調して送信する光送信手段を有し、光送信手段からの光線は撮影レンズを介して送信されることを特徴とする。
【００２４】
請求項９に記載の撮影装置は、光送信手段からの光線を、撮影レンズを介して送信するので、光送信手段の投光部を覆って不正に撮影することを防止できる。
【００２５】
請求項１０に記載の撮影装置の発明によれば、前記目的を達成するために、指向性を有する光線に所定のデータを変調して送信する光送信手段と、撮影動作を行うと前記光線を送信する制御手段とを有する撮影装置において、前記光送信手段は、赤色領域の波長の光線を発信するタリーランプであることを特徴とする。
【００２６】
請求項１０に記載の撮影装置は、光送信手段の投光手段としてタリーランプを兼用したので、部品点数を増やすことなく、光線を送信することができる。
【００２７】
請求項１１に記載の盗撮防止システムは、請求項3において、前記撮影装置と前記撮影報知装置は、双方向送受信可能に構成されていることを特徴としている。
【００２８】
請求項１１によれば、撮影装置は更に受信手段を備え、特定の受光エリアに対して選択的に撮影に関するデータを送信した後、受光エリア内の撮影報知装置が前記データを受信したことを撮影報知装置が備える通信手段により送信し、これを撮影装置がデータの受信手段によって受信して、撮影装置の表示部に撮影領域内に撮影報知装置があることを表示する。このようにすれば、撮影者が意図せずに、たまたま撮影報知装置を持った人が撮影エリアに入ってしまった場合にも、これを撮影前に知ることができる。
【００２９】
請求項１２に記載の盗撮防止システムの発明によれば、前記目的を達成するために、記憶部の所定領域に撮影規制解除コードが記録されたメモリ部材が着脱自在に装着され、撮影の際には前記撮影規制解除コードを読み出して送信する撮影装置と、前記撮影装置から送信された前記撮影規制解除コードを受信すると、前記撮影装置による撮影規制を解除することを報知する撮影報知装置と、
を備えたことを特徴とする。
【００３０】
請求項１２に記載の盗撮防止システムは、撮影解除コード入りメモリ部材を購入することにより、有料被写体の撮影が可能になる。
【発明の効果】
【００３１】
本発明に係る撮影装置及び撮影報知装置並びに盗撮防止システムによれば、撮影装置側に信号受信装置や信号検出装置を搭載することなく、簡単な構成で撮影規制被写体のみの撮影を確実に規制することができる。
【発明を実施するための最良の形態】
【００３２】
以下、添付図面に従って本発明に係る撮影装置及び撮影報知装置並びに盗撮防止システムの好ましい実施の形態について説明する。なお、以下の説明では、本発明の撮影装置を、電子カメラであるデジタルカメラに適用した例について説明するが、本発明はこれに限定されるものではなく、カメラ機能を有するカメラ付き携帯電話機に適用可能である。
【００３３】
図１は、実施の形態のデジタルカメラ１０及び受光ユニット（撮影報知装置）１２が適用された盗撮防止システム１４の全体構造図である。
【００３４】
デジタルカメラ１０の撮影レンズ１６の結像位置には、ＣＣＤ１８が設けられている。ＣＣＤ１８の結像面に結像された被写体像はＣＣＤ１８によって光電変換された後、その電気信号が撮像部２０に出力される。撮像部２０は、前記電気信号を映像信号に変換してモニタ２２に出力するとともに、内蔵のＲＡＭ又は外部メモリカード等の記録回路部２４に例えばＪＰＥＧファイルとして記録する。
【００３５】
符号２６は、デジタルカメラ１０全体を統括制御する制御回路部（制御部）である。この制御回路部２６はレリーズボタン２８からのレリーズ信号に基づいて撮像部２０及びＣＣＤ１８を制御するとともに、レリーズの直前にオートフォーカスを実行させる際に行うレリーズボタン２８の半押し操作に基づき信号発生回路部３０を制御して、タリーランプであるＬＥＤ（光送信手段）３２から、変調回路３４にて変調された可視光（指向性を有する光線に所定のデータを変調して送信される信号）を送信する。ＬＥＤ３２は、撮影レンズ１６の近傍に取り付けられているため、撮影レンズ１６を被写体３６に向けると、ＬＥＤ３２からの目視可能で指向性のある可視光が被写体（人）３６に向けて送信される。なお、光線は可視光に限定されるものではなく、指向性のある光線、例えば赤外線でもよい。
【００３６】
図２は、受光ユニット１２の全体図であり、図３は受光ユニット１２の全体構成を示したブロック図である。
【００３７】
図２の如く受光ユニット１２は、球状の本体３８にストラップ４０が取り付けられて構成される。また、本体３８には、デジタルカメラ１０からの可視光を受光するための透光窓４２が取り付けられるとともに、アラーム音の放射部４４が形成されている。
【００３８】
この本体３８には図３の如く、フォトダイオード４６が内蔵されている。このフォトダイオード４６は、図１に示したデジタルカメラ１０から送信された指向性のある可視光を、透光窓４２を介して受光する受光素子である。よって、透光窓４２をデジタルカメラ１０に向けることにより、フォトダイオード４６はデジタルカメラ１０からの可視光を受光する。
【００３９】
フォトダイオード４６によって受光した可視光は、ＡＭ復調器４８によって復調されるとともに制御回路部５０によって可視光を受光したことが検出される。制御回路部５０によって可視光が検出されると、制御回路部５０は、スピーカ回路部５２を制御してスピーカ５４からアラーム音を、放射部４４を介して受光ユニット１２の外部に放射する。
【００４０】
次に、前記の如く構成された盗撮防止システム１４の作用について説明する。
【００４１】
デジタルカメラ１０のレリーズボタン２８が撮影者により半押し操作されると、制御回路部２６は信号発生回路部３０を制御してＬＥＤ３２からタリーランプとしての赤色光を被写体３６に向けて発光させる。
【００４２】
一方、被写体３６は受光ユニット１２を携帯しており、デジタルカメラ１２からの可視光を受信することができるが、デジタルカメラ１２のＬＥＤ３２からの可視光はカメラ前方に送信されているので、デジタルカメラ１２が被写体３８に向けられた時のみ受光ユニット１２はデジタルカメラ１０からの可視光を受光する。そして、受光ユニット１２は、スピーカ５４からアラーム音を発生させ、アラーム音により撮影直前であること、又は撮影されたことを被写体３６及び周囲の第三者に報知する。
【００４３】
したがって、この盗撮防止システム１４によれば、デジタルカメラ１０によって特定の被写体３６に対し、撮影が行われたか否かを知らせることができる。また、被写体３６が撮影規制被写体３６であることを、撮影者はアラーム音にて撮影直前に認識することができるので、撮影を取り止めることができる。なお、報知方法は音だけではなく光、振動を用いてもよい。また、デジタルカメラ固有のデータを受光ユニット１２に送信することにより、そのデジタルカメラ１０による撮影を許可したり禁止したりすることもアラーム音の発生で報知することができる。更に、受光ユニット１２は、被写体である人が携帯する図２の形態に限定されず、被写体が物である場合にはその被写体周辺に固定される形態のものでよい。
【００４４】
図１〜図３に示した盗撮防止システム１４では、受光ユニット１２がデジタルカメラ１０からの可視光を受信して撮影されることをアラーム音にて報知するように構成したが、デジタルカメラ１０の撮影そのものを禁止すること、ストロボ撮影を禁止すること、通常撮影を許可することを、表示手段を用いて報知してもよい。
【００４５】
図４は、被写体（美術館に展示された絵画）６０の近傍に受光ユニット１２を設置し、この受光ユニット１２がデジタルカメラ１０からの可視光を受光した際に、予め記憶されている被写体６０の規制情報（撮影可能か否か、ストロボ撮影可能か否か）に基づき、その情報を表示パネル６２に表示する。この表示内容は、被写体６０が撮影禁止被写体の場合には、図５（Ａ）の如く文字表記にて「撮影禁止」と表示したり、ストロボ撮影が禁止されている場合には、図５（Ｂ）の如く「ストロボ禁止」と表示したりすることができる。また、図５（Ｃ）、（Ｄ）の如く記号、マークにて撮影禁止であることを表示してもよい。
【００４６】
一方、受光ユニット１２のフォトダイオード４６（図３参照）によって受光した可視光は、ＡＭ復調器４８によって復調され、制御回路部５０によって検出されると、表示パネル６２に所定の文字、記号、マークを表示パネル６２に表示する。
【００４７】
上記の如く構成された盗撮防止システムの作用について図６、図７に示すフローチャートを参照しながら説明する。
【００４８】
まず、デジタルカメラ１０側の制御について説明する。図６の如くデジタルカメラ１０のレリーズボタン２８が撮影者により半押し操作（Ｓ１）されると（ステップ（Ｓ）１００）、制御回路部２６は信号発生回路部３０を制御してＬＥＤ３２からタリーランプとしての赤色光（可視光）を被写体３６に向けて発光させる（Ｓ１１０）。これと同時に制御回路部２６は、不図示のＡＥ回路部を制御して測光を実行し、適正なシャッタースピードを設定するとともに（Ｓ１２０）、不図示のＡＦ回路部を制御してオートフォーカスを実行する（Ｓ１３０）。
【００４９】
この後、レリーズボタン２８が全押し操作（Ｓ２）されると（Ｓ１４０）、撮影が実行され（Ｓ１５０）、被写体が記録回路部２４にデータとして記録される（Ｓ１６０）。なお、レリーズボタン２８が全押し操作（Ｓ２）されることなく、半押し操作（Ｓ１）が解除されると（Ｓ１７０）、Ｓ１００に戻る。以上がデジタルカメラ１０側の制御である。
【００５０】
次に、受光ユニット１２側の制御について図７を参照して説明する。デジタルカメラ１０のレリーズボタン２８の半押し操作により送信される指向性のある赤色の可視光をフォトダイオード４６で受光すると（Ｓ２００）、制御回路部５０は被写体６０がデジタルカメラ１０により撮影直前状態であることを認識し、予め設定された情報（撮影可能か否か、ストロボ撮影可能か否か）を不図示の記憶部から読み出し、この情報を表示パネル６２に表示する（Ｓ２１０）。すなわち、被写体６０が撮影禁止被写体の場合には、図５（Ａ）の如く「撮影禁止」と表示する（Ｓ２２０）。また、ストロボ発光撮影が禁止されている場合には、図５（Ｂ）の如く「ストロボ禁止」と表示する（Ｓ２３０）。そして、通常撮影可能な場合には、表示パネル６２に撮影ＯＫであることを表示する。
【００５１】
すなわち、前記実施例は、デジタルカメラ１０の撮影レンズ１７の近傍に、可視光を変調して目視可能に送信するＬＥＤ３２を備え、被写体６０に向けて可視光を送信するようにデジタルカメラ１０が構成されている。このＬＥＤ３２は、レリーズボタン２８の半押し操作により発光する。
【００５２】
一方、被写体６０の近傍には受光ユニット１２が配置され、デジタルカメラ１０からの可視光を受信することができるが、デジタルカメラ１０側のＬＥＤ３２からの可視光はデジタルカメラ１０の前方に送信されているので、デジタルカメラ１０が被写体６０に向けられた時のみ撮影直前であることを示す信号が受光ユニット１２によって受信される。
【００５３】
この信号が受光ユニット１２に受信されると、受光ユニット１２の表示パネル６２に撮影可能か否か、ストロボ発光可能か否か、通常撮影ＯＫか否かが表示される。例えば、美術館の場合、その被写体（絵画）に肖像権があるか否か、また、強い光による劣化のおそれがあるか否かによって撮影が可能か否か、あるいはストロボ発光が、可能か否かが表示される。
【００５４】
報知方法は音だけではなく光、振動を用いてもよい。光で報知する場合は、例えば例として○（通常撮影可能）、×（撮影禁止）、△（ストロボ発光禁止）の光を発光させたり文字を発光させたりすれば更に撮影者に分かりやすくなる。
【００５５】
図８は、盗撮防止システムの他の実施の形態を示した説明図である。
【００５６】
同図に示す盗撮防止システムは、デジタルカメラ１０の撮影レンズ鏡胴１１の外周面に、可視光を変調して目視可能に送信するＬＥＤ３２を備え、レリーズボタン２６によりレリーズ動作が行われると、まず、被写体６０に向かって可視光送信を実行して撮影することを報知し、所定時間後に撮影動作を行う制御回路部２６を備えている。
【００５７】
一方、可視光を受光する受光ユニット１２は、撮影エリアからの可視光を受光するように被写体６０を覆うガラスケース６４に取り付けられている。この受光ユニット１２は、デジタルカメラ１０からの可視光を受光して、不正な撮影であることを検知すると、ガラスケース６４の前面に発光体（妨害手段）６６から光線を照射し、反射光によって被写体６０の良好な撮影が行えないように妨害操作を行う。
【００５８】
上記の如く構成された盗撮防止システムの作用について図９、図１０に示すフローチャートを参照しながら説明する。
【００５９】
まず、デジタルカメラ１０側の制御について説明する。図９の如くデジタルカメラ１０のレリーズボタン２８が撮影者により全押し操作されると（Ｓ３００）、制御回路部２６は信号発生回路部３０を制御してＬＥＤ３２からタリーランプとしての赤色光を被写体６０に向けて発光させる（Ｓ１１０）。これと同時に制御回路部２６は、タイマーをスタートさせ（Ｓ３２０）、そして、不図示のＡＥ回路部を制御して測光を実行し、適正なシャッタースピードを設定するとともに（Ｓ３３０）、不図示のＡＦ回路部を制御してオートフォーカスを実行する（Ｓ３４０）。
【００６０】
この後、タイマーが設定時間（Ｔ１）をカウントすると（Ｓ３５０）、撮影が実行され（Ｓ３６０）、被写体が記録回路部２４にデータとして記録される（Ｓ３７０）。以上がデジタルカメラ１０側の制御である。
【００６１】
次に、受光ユニット１２側の制御について図１０を参照して説明する。デジタルカメラ１０のレリーズボタン２８の全押し操作により送信される指向性のある可視光を、フォトダイオード４６で受光すると（Ｓ４００）、制御回路部５０はタイマーをスタートさせ（Ｓ４１０）、この後、タイマーが設定時間（Ｔ１）をカウントした時に、発光体６６からガラスケース６４の前面に光線（妨害光）を発光する。この時、デジタルカメラ１０において撮影が行われるので、デジタルカメラ１０は、ガラスケース６４の前面で反射した妨害光により、被写体６０を良好に撮影することはできない。これにより、被写体６０の盗撮を防止することができる。
【００６２】
図１１は、盗撮防止システムの他の実施の形態を示した説明図である。
【００６３】
同図に示す盗撮防止システムは、デジタルカメラ１０の撮影レンズ１６の近傍に、可視光を変調して目視可能に送信するＬＥＤ３２を備え、レリーズボタン２８によるレリーズ動作が行われると、まず、被写体６０に向かって可視光送信を行い、撮影することを報知する。その際、デジタルカメラ１０の固有のタイムラグ、すなわち信号送信から撮影までの時間をコード化した信号を同時に送信する。この後に撮影動作を実行させる制御回路部２６をデジタルカメラ１０は備えている。
【００６４】
一方、可視光を受光する受光ユニット１２は、撮影エリアからの可視光を受光するように被写体６０の周辺に配置され、デジタルカメラ１０からの可視光を受光して、コード化したタイムラグ信号を復調し、これを制御回路部７０がタイマー７２にセットする。タイマーによる所定時間のカウントダウンが完了すると、制御回路部７０が液晶駆動回路部７４を制御して、被写体６０の前面に配置された液晶板（妨害手段）７６を不透過状態にし、被写体６０の撮影が行えないようにする。以上が受光ユニット１２側の制御である。
【００６５】
上記の如く構成された盗撮防止システムの作用について図１２、図１３に示すフローチャートを参照しながら説明する。
【００６６】
まず、デジタルカメラ１０側の制御について説明する。図１２の如くデジタルカメラ１０のレリーズボタン２８が撮影者により全押し操作されると（Ｓ５００）、制御回路部２６は信号発生回路部３０を制御してＬＥＤ３２からタリーランプとしての赤色光を被写体６０に向けて発光させる（Ｓ５１０）。そして、制御回路部２６は、この信号に重畳させてタイムラグを示す信号を送信するとともに（Ｓ５２０）、タイマーをセットし（Ｓ５３０）、タイムカウントを開始する（Ｓ５４０）。この後、タイマーが設定時間（ｔ１）をカウントするまでカウントダウンが行われ（Ｓ５５０、Ｓ５６０）、タイマーが設定時間（ｔ１）をカウントすると撮影が実行され（Ｓ５７０）、被写体像が記録回路部２４にデータとして記録される（Ｓ５８０）。以上がデジタルカメラ１０側の制御である。
【００６７】
次に、受光ユニット１２側の制御について図１３を参照して説明する。デジタルカメラ１０のレリーズボタン２８の全押し操作により送信される指向性のある可視光を、フォトダイオード４６で受光すると（Ｓ６００）、制御回路部５０はタイマーをセットするとともに（Ｓ６１０）、タイムカウントを開始する（Ｓ６２０）。この後、タイマーが設定時間（ｔ１）をカウントするまでカウントダウンが行われ（Ｓ６３０、Ｓ６４０）、タイマーが設定時間（ｔ１）をカウントすると、被写体６０の前面に配置された液晶板７６を不透過状態にし、被写体６０の撮影が行えないようにする（Ｓ６５０）。この時、デジタルカメラ１０において撮影が行われるので、デジタルカメラ１０は、不透過状態の液晶板７６により、被写体６０を撮影することはできない。これにより、被写体６０の盗撮を防止することができる。
【００６８】
そして、所定時間経過後（Ｓ６６０）、制御回路部５０は、液晶板７６を透過状態に戻す。以上が受光ユニット１２側の制御である。
【００６９】
図１４、図１５は撮影レンズ１６の光学系に可視光を発光するＬＥＤ３２を配置したカメラの要部構造図が示されている。
【００７０】
図１４に示すカメラには、撮影レンズ１６の後方でＣＣＤ１８との間の光路に、撮影レンズ１６を透過した光束を分割する半透過ミラー８０が配置されている。この半透過ミラー８０は、カメラに内蔵されたＬＥＤ３２からの可視光を反射させて撮影レンズ１６を向けた方向に、撮影レンズ１６を介して送信するように配置されている。
【００７１】
図１５に示すカメラには、撮影レンズ１６の後方でＣＣＤ１８の両側には一対のＬＥＤ３２，３２が配置されている。したがって、ＬＥＤ３２、３２からの可視光は、撮影レンズ１６を介して、撮影レンズ１６を向けた方向に送信される。
【００７２】
このように図１４、図１５に示したカメラは、カメラに内蔵されたＬＥＤ３２からの可視光を、撮影レンズ１６を介して送信するように構成したので、可視光送信を塞いで撮影を行おうとすると、撮影光を邪魔してしまうので、より確実に不正な撮影を防止することができる。
【００７３】
図１６は、盗撮防止システムの他の実施の形態を説明したフローチャートである。
【００７４】
この例で述べるカメラも撮影レンズの周辺に、可視光を変調して目視可能に送信するＬＥＤを備えている。カメラ電源を入れると（Ｓ７００）、購入したメモリカードの所定部分のコードを読みにゆく（Ｓ７１０）。この部分に解除コード（撮影規制解除コード）が記載されていることを検出すると（Ｓ７２０）、可視光送信フラグ０を設定する（Ｓ７３０）。また、解除コードが記録されていない場合は可視光送信フラグ１を設定する（Ｓ７４０）。
【００７５】
レリーズ動作が行われると（Ｓ７５０）、まず、フラグを確認し（Ｓ７６０）、フラグ０の場合は被写体に向かって可視光送信を行い（Ｓ７７０）、撮影することを報知する。その後、測光を実行し（Ｓ７８０）、オートフォーカスを実行（Ｓ７９０）した後に撮影動作を行う（Ｓ８００）。フラグ１の場合は、可視光送信を行わず、ダミー発光（連続発光）を行う。
【００７６】
一方、可視光を受光する受光ユニットは、撮影エリアからの可視光を受光するように被写体周辺に配置され、カメラからの可視光を受光して、可視光信号を復調し、解除コードが含まれていると、被写体の前面に配置された不透過状態の液晶板を透過状態にし、被写体の撮影を許可する。ダミー発光の場合は、この動作を行わないので、液晶板が透過状態のままであり撮影不能である。このようにすることで、解除コードが記録されているカードを挿入した場合のみ、被写体撮影が行われるようになり、カード販売料金により、有料コンテンツへの課金を徴収できる。また、美術館等では個々の被写体毎、作品群毎、作者毎といったようにきめ細かく解除コードを設定することにより、個別に有料コンテンツの課金が可能となる。
【００７７】
また、別実施例として、図１７のフローチャートの如く、解除コードに２種類のコード（撮影禁止、ストロボ発光禁止等）をもたせ（Ｓ９００）、撮影禁止のコードが記載されていることを検出すると可視光送信フラグ１を設定し（Ｓ９１０）、ストロボ発光禁止のコードが記載されていることを検出すると可視光送信フラグ２を設定し（Ｓ９２０）、解除コードが記録されていない場合は可視光送信フラグ０を設定する（Ｓ９３０）。
【００７８】
レリーズ動作が行われると（Ｓ９４０）、まず、フラグを確認し（Ｓ９５０）、フラグ１又は２の場合は被写体に向かって、フラグ１に対応した周波数の可視光送信を行い（Ｓ９６０）、また、フラグ２に対応した周波数の可視光送信を行い（Ｓ９７０）、撮影することを受光ユニットに報知する。その後、測光を実行し（Ｓ９８０）、オートフォーカスを実行した後に撮影動作を行う。フラグ０の場合は、フラグ０に対応した周波数の可視光送信を行う（Ｓ９９０）。
【００７９】
一方、可視光を受光する受光ユニットは、撮影エリアからの可視光を受光するように被写体周辺に配置され、カメラからの可視光を受光して、可視光信号を復調し、フラグ１に対応した撮影信号が含まれていると、被写体の前面に配置された液晶板（妨害手段）を不透過状態にし、被写体の撮影が行えないようにする（図１１参照）。また、フラグ２に対応した撮影信号が含まれていると、被写体の近傍に配置した表示バネルにストロボ発光禁止を示す文字表示又はマークを表示させ、撮影者にストロボ発光禁止の被写体であることを報知する。また、フラグ３に対応した撮影信号が含まれている場合は、撮影規制動作を行わない。このように撮影規制条件に応じて複数のフラグを設定すれば、多種の撮影規制を実行することができる。なお、変調器３４は、撮影禁止被写体であること、ストロボ発光禁止であることをデジタルのコードに変調することも含む。
【００８０】
また、デジタルカメラ１０と受信ユニット１２とを双方向送受信可能に構成することにより、以下の利点がある。
【００８１】
すなわち、デジタルカメラ１０に更に受信手段を設け、特定の受光エリアに対して選択的に撮影に関するデータを送信した後、受光エリア内の受信ユニット１２が前記データを受信したことを受信ユニット１２が備える通信手段により送信し、これをデジタルカメラ１０がデータの受信手段によって受信して、デジタルカメラ１０のモニタ２２に撮影領域内に受信ユニット１２があることを表示する。このようにすれば、撮影者が意図せずに、たまたま受信ユニット１２を持った人が撮影エリアに入ってしまった場合にも、これを撮影前に知ることができる。
【００８２】
また、デジタルカメラ１０は他のデータの受信手段を備え、特定の受光エリアに対して選択的にデジタルカメラ１０の通信パスワード等の固有データを送信した後、前記エリア内の受信ユニット１２が前記データを受信したことをトリガーに、他のデータの受信手段（電波等）により双方向通信を開始する。この時、前記通信パスワードによって、相手を識別して通信が可能となる。
【００８３】
更に、特定のエリアに対して選択的に送信する手段を用いてデジタルカメラ１０が特定のエリア内に入ったこと、あるいはデジタルカメラ１０が被写体に向けられたこと、あるいはその両方を検出することを行えば、その後の通信は指向性の無い通信方法であっても双方向の通信手段であっても、通信内容としては、「デジタルカメラ１０があらかじめ撮影許可コードを入力されているか否か？」、また、「デジタルカメラ１０の撮影モードがストロボ撮影になっているか否か」、更には「デジタルカメラ１０のレンズの焦点距離情報」等の情報を通信手段によって入手し、これにより、以下のような制御を行うことも可能である。
【００８４】
デジタルカメラ１０があらかじめ撮影許可コードを入手されているか否か？によって撮影を禁止又は許可すること。
【００８５】
デジタルカメラ１０がストロボを内蔵しているか否か？や、デジタルカメラ１０の撮影モードがストロボ撮影になっているか否か？に応じて撮影を禁止あるいは許可すること。
【００８６】
デジタルカメラ１０のレンズの焦点距離情報とデジタルカメラ１０のエリア情報とから、クレーズアップ撮影が禁止された被写体に対して一定以上の拡大率での撮影が行われようとしている場合のみ撮影を禁止すること。
【００８７】
デジタルカメラ１０のレンズの焦点距離情報とデジタルカメラ１０のエリア情報と解像度情報とから、クローズアップ撮影が禁止された被写体に対し、解像度から換算して一定以上の拡大率での撮影が行われようとしている場合のみ撮影を禁止することができる。
【００８８】
一方で、指向性を有する光線にデータを変調して送信する光送信装置によって、デジタルカメラ１０の存在とコードだけを送信し、無線や他の通信方法でこのコードに対応するデジタルカメラ１０に対して撮影の規制や警告を行うこともできる。
【図面の簡単な説明】
【００８９】
【図１】実施の形態のデジタルカメラ及び受光ユニットが適用された盗撮防止システムの全体構造図
【図２】図１に示した受光ユニットの全体斜視図
【図３】図２に示した受光ユニットの構造を示すブロック図
【図４】被写体の近傍に配置された受光ユニットと表示パネルの例を示した説明図
【図５】図４の表示パネルに表示される撮影規制マーク等を示した説明図
【図６】盗撮防止システムのデジタルカメラ側の制御の一例を示したフローチャート
【図７】盗撮防止システムの受光ユニット側の制御の一例を示したフローチャート
【図８】被写体の撮影妨害装置の一例を示した説明図
【図９】盗撮防止システムのデジタルカメラ側の制御の一例を示したフローチャート
【図１０】盗撮防止システムの受光ユニット側の制御の一例を示したフローチャート
【図１１】被写体の撮影妨害装置の一例を示した説明図
【図１２】盗撮防止システムのデジタルカメラ側の制御の一例を示したフローチャート
【図１３】盗撮防止システムの受光ユニット側の制御の一例を示したフローチャート
【図１４】カメラにＬＥＤを内蔵させた概略構造図
【図１５】カメラにＬＥＤを内蔵させた概略構造図
【図１６】盗撮防止システムのデジタルカメラ側の制御の一例を示したフローチャート
【図１７】図１６に示したフローチャートの別実施例を示したフローチャート
【符号の説明】
【００９０】
１０…デジタルカメラ、１２…受光ユニット、１４…盗撮防止システム、１６…撮影レンズ、１８…ＣＣＤ、２０…撮像部、２２…モニタ、２４…記録回路部、２６…制御回路部、２８…レリーズボタン、３０…信号発生回路部、３２…ＬＥＤ、３６…被写体、４６…フォトダイオード、４８…ＡＭ復調器、５０…制御回路部、５４…スピーカ
【図１】
2006301418.tif 000003
【図２】
2006301418.tif 000004
【図３】
2006301418.tif 000005
【図４】
2006301418.tif 000006
【図５】
2006301418.tif 000007
【図６】
2006301418.tif 000008
【図７】
2006301418.tif 000009
【図８】
2006301418.tif 000010
【図９】
2006301418.tif 000011
【図１０】
2006301418.tif 000012
【図１１】
2006301418.tif 000013
【図１２】
2006301418.tif 000014
【図１３】
2006301418.tif 000015
【図１４】
2006301418.tif 000016
【図１５】
2006301418.tif 000017
【図１６】
2006301418.tif 000018
【図１７】
2006301418.tif 000019